(57)【要約】      （修正有）【課題】鍔の有無にかかわらず並置された大きさの異なる植木鉢の全てを充分に安定的に支持し、その転倒を防止する植木鉢用支持具を提供する。【解決手段】並置される植木鉢Ｐの並び方向に相対される起立部材１と、起立部材１の間に一定の間隔を介して平行に掛渡された２本の支持ロープ２と、起立部材１と支持ロープ２との間に設けられて支持ロープ２にテンションを掛けるバネ材３と、両支持ロープ２に掛けられて支持ロープ２の間隔を狭めるアタッチメント６とからなる。【選択図】図１
0003184095.tif 000002
【実用新案登録請求の範囲】
【請求項１】
並置される植木鉢の並び方向に相対される起立部材と、起立部材の間に一定の間隔を介して平行に掛渡された２本の支持ロープと、起立部材と支持ロープとの間に設けられて支持ロープにテンションを掛けるバネ材とからなる植木鉢用支持具。
【請求項２】
請求項１の植木鉢用支持具において、両支持ロープに掛けられて支持ロープの間隔を狭めるアタッチメントを備えていることを特徴とする植木鉢用支持具。
【請求項３】
請求項２の植木鉢用支持具において、相対する起立部材の間隔を維持するスペースバーが支持ロープの掛渡し高さと同じ高さに配設され、アタッチメントがスペースバーにも掛けられることを特徴とする植木鉢用支持具。
【考案の詳細な説明】
【技術分野】
【０００１】
本考案は、植栽されている植木鉢を安定的に支持し、その転倒を防止する植木鉢用支持具に係る技術分野に属する。
【背景技術】
【０００２】
植木鉢は、植栽される植物の種類や生育状況に対応することができるように各種大きさ（高さ，径）のものが存在している。特に蘭鉢の種類の多さは知られているところである。従って、蘭鉢ほか、大きさの異なる植木鉢が並べられた場合に、全ての植木鉢を安定的に支持することは中々困難と言える。このため、並置する大きさの異なる植木鉢の全てを安定的に支持する植木鉢用支持具の開発が要望されている。
【０００３】
従来、大きさの異なる植木鉢の全てを安定的に支持することを指向した植木鉢用支持具としては、例えば、特許文献１に記載のものが知られている。
【０００４】
特許文献１には、骨組棚に植木鉢の鍔が掛かるリングを設けてなる植木鉢用支持具が記載されている。
【０００５】
特許文献１に係る植木鉢用支持具は、リングに植木鉢の鍔を掛けることで、植木鉢を骨組棚に宙吊り状態で支持するものである。この考案は、大きさの異なるリングを多数用意しておくことで、大きさの異なる植木鉢に対応しようとするものである。
【先行技術文献】
【特許文献】
【０００６】
【特許文献１】特開平９−７２号公報
【考案の概要】
【考案が解決しようとする課題】
【０００７】
特許文献１に係る植木鉢用支持具では、形状が寸胴のものやリングに掛止される鍔を有しない植木鉢には使用し難いという問題点がある。また、植木鉢が宙吊り状態で支持されるため、充分に安定的な支持を得られないという問題点がある。
【０００８】
本考案は、このような問題点を考慮してなされたもので、形状が寸胴或いは鍔の有無にかかわらず並置された大きさの異なる植木鉢の転倒を防止し、充分に安定的に支持することのできる植木鉢用支持具を提供することを課題とする。
【課題を解決するための手段】
【０００９】
前述の課題を解決するため、本考案に係る植木鉢用支持具は、実用新案登録請求の範囲の各請求項に記載の手段を採用する。
【００１０】
即ち、請求項１では、並置される植木鉢の並び方向に相対される起立部材と、起立部材の間に一定の間隔を介して平行に掛渡された２本の支持ロープと、起立部材と支持ロープとの間に設けられて支持ロープにテンションを掛けるバネ材とからなる。
【００１１】
この手段では、並置される植木鉢の両側にテンションを掛けられた支持ロープが配設されることで、大きさの異なる植木鉢の胴部に支持ロープがそれぞれ湾曲された格好で圧接されて支持する。
【００１２】
また、請求項２では、請求項１の植木鉢用支持具において、両支持ロープに掛けられて支持ロープの間隔を狭めるアタッチメントを備えていることを特徴とする。
【００１３】
この手段では、支持ロープの間隔を狭めるアタッチメントを備えることで、支持ロープの植木鉢胴部への圧接力が強化される。
【００１４】
また、請求項３では、請求項２の植木鉢用支持具において、相対する起立部材の間隔を維持するスペースバーが支持ロープの掛渡し高さと同じ高さに配設され、アタッチメントがスペースバーにも掛けられることを特徴とする。
【００１５】
この手段では、アタッチメントがスペースバーにも掛けられることで支持ロープの位置はスペースバーと平行に維持され、アタッチメントが支持ロープ上で斜めになる等の不測の移動が防止されるので支持ロープの植木鉢胴部への圧接力は安定する。
【考案の効果】
【００１６】
本考案に係る植木鉢用支持具は、並置される植木鉢の両側にテンションを掛けられた支持ロープが配設されることで、大きさの異なる植木鉢の胴部に支持ロープがそれぞれ湾曲された格好で圧接されて支持するため、鉢の形状が寸胴であれ、また鍔の有無にかかわらず並置された大きさの異なる植木鉢の全てを充分に安定的に支持し、その転倒を防止することができる効果がある。
【００１７】
さらに、請求項２として、支持ロープの間隔を狭めるアタッチメントを備えることで、支持ロープの植木鉢の胴部への圧接力が強化されるため、植木鉢をより充分に安定的に支持することができる効果がある。
【００１８】
さらに、請求項３として、アタッチメントがスペースバーにも掛けられることで、アタッチメントの支持ロープに沿った不測の移動が防止されるため、植木鉢の安定的な支持が不測に解除されるのを防止することができる効果がある。
【図面の簡単な説明】
【００１９】
【図１】本考案に係る植木鉢用支持具を実施するための形態の第１例の斜視図であり、（Ａ）に使用前状態が示され、（Ｂ）に使用状態が示されている。
【図２】図１（Ｂ）の鉢部分を横断面図とした上面図である。
【図３】本考案に係る植木鉢用支持具を実施するための形態の第２例の斜視図である。
【図４】本考案に係る植木鉢用支持具を実施するための形態の第３例の側面断面図である。
【考案を実施するための形態】
【００２０】
以下、本考案に係る植木鉢用支持具を実施するための形態を図面に基づいて説明する。
【００２１】
図１，図２は、本考案に係る植木鉢用支持具を実施するための形態の第１例を示すものである。
【００２２】
第１例では、春蘭を育成するような比較的寸の高い植木鉢Ｐに好適なものを示してある。
【００２３】
第１例は、図１に示すように、起立部材１，支持ロープ２，バネ材３を主要部として構成されている。
【００２４】
起立部材１は、並置される植木鉢Ｐの並び方向に相対されるもので、方形の板材１１の辺縁１２が補強のため相対方向へＬ字形に屈曲された箱形状になっている。上面側の辺縁１２には、支持ロープ２の間隔を保持し、支持ロープ２が辺縁１２から脱落するのを防止する、あり溝形の支持ロープ受１３が設けられている。
【００２５】
この起立部材１は、相対する間隔を維持するために、板材１１の４隅にパイプ形のスペースバー４が取付けられている。なお、上側に配設されるスペースバー４は、起立部材１の支持ロープ受１３とほぼ同じ高さに設定されている。すなわちスペースバー４は起立部材１の間に上側２本と下側２本の４本が配設されていることになる。
【００２６】
支持ロープ２は、起立部材１の支持ロープ受１３の間に一定の間隔を介して平行に掛渡された２本からなるもので、伸縮性を有しない強靱な材質のもの（例えば、金剛打ちナイロンロープ）が選択される。
【００２７】
バネ材３は、起立部材１と支持ロープ２との間に設けられて支持ロープ２にテンションを掛けるもので、トーションコイルスプリングからなる。
【００２８】
このバネ材３は、トーションコイルスプリングの巻部分３１が取付軸５によって起立部材１の板材１１の外側面に支持され、トーションコイルスプリングの両アーム部分３２が支持ロープ２の端末にそれぞれ連結されている。なお、両アーム部分３２は、支持ロープ２に有効にテンションが掛かるとともに支持ロープ２の間隔を確保することができるように、支持ロープ２の間隔を広げるように大きく拡開された格好になっている。
【００２９】
第１例を使用するには、図１（Ｂ）に示すように、地面や台の上に起立部材１を載せて、起立部材１の間に植栽された植木鉢Ｐを並べる（図面では、植木鉢Ｐに植栽されている植物の図示は省略してある。）。
【００３０】
起立部材１の間に並べられた植木鉢Ｐは、胴部で支持ロープ２の間隔をバネ材３の弾力付勢に抗して押広げることになる。この結果、テンションの掛かった支持ロープ２が湾曲されて植木鉢Ｐの胴部に圧接することになる。この支持ロープ２の圧接は、植木鉢Ｐの大きさに関係なく生じて、植木鉢Ｐを転倒等から防止するように支持する。この支持は、植木鉢Ｐが鍔を有していることを要件とはしていない。また、支持される植木鉢Ｐは、底面が地面や台に当接して宙吊りにはなっていない。従って、鍔の有無にかかわらず並置された大きさの異なる植木鉢Ｐの全てを充分に安定的に支持することができる。
【００３１】
なお、第１例では、両支持ロープ２と上側に配設されるスペースバー４とに掛けられて支持ロープ２の間隔を狭めるアタッチメント６を使用している。
【００３２】
アタッチメント６は、針金等で形成され、中央部に両支持ロープ２が挿通されるリング部６１を有するとともに、両端部に上側に配設されるスペースバー４に係止されるフック部６２を有している。リング部６１の間隔は、支持ロープ２の間隔と一致されている。
【００３３】
このアタッチメント６は、図１（Ｂ）に示すように、両支持ロープ２と上側に配設されるスペースバー４とに沿ってスライドさせて、植木鉢Ｐの胴部によって拡開された両支持ロープ２の間隔を絞るようにして狭めるものである。即ち、支持ロープ２の植木鉢Ｐの胴部への圧接力を強化することができ、植木鉢Ｐの支持をより充分に安定的に支持することができる。なお、アタッチメント６が上側に配設されるスペースバー４にも掛けられることで、アタッチメント６が支持ロープ２上で斜めになる等、不測の移動が防止される。従って、植木鉢Ｐの安定的な支持が不測に解除されるのを防止することができる。なお、支持ロープ２と上側に配設されるスペースバー４とが同じ高さに設定されているため、アタッチメント６に無用の応力が掛からずスライドがスムースになる。
【００３４】
図３は、本考案に係る植木鉢用支持具を実施するための形態の第２例を示すものである。
【００３５】
第２例は、第２のアタッチメント７が設けられている。
【００３６】
第２のアタッチメント７は、針金等で形成され、支持ロープ２の本来の間隔と一致され両端部に支持ロープ２に掛けられるフック部が設けられたもので、第１例のアタッチメント６を簡略化したものである。
【００３７】
この第２のアタッチメント７は、第１例のアタッチメント６とほぼ同様の機能を奏する外に、起立部材１の支持ロープ受１３の近くに位置させて、支持ロープ受１３からの支持ロープ２の脱落の防止にも寄与することができる。なお、この第２のアタッチメント７を第１例のアタッチメント６と併用することについては、何ら支障はない。
【００３８】
また、第２例では、起立部材１が嵌合される受皿８が使用されている。受皿８が使用されても、前述の各部の機能に支障は生じない。
【００３９】
図４は、本考案に係る植木鉢用支持具を実施するための形態の第３例を示すものである。
【００４０】
第３例は、第１例の起立部材１を台形のアームとしてある。そして、起立部材１であるアームの基部付近に連結バー９を掛渡して、コイルスプリングからなるバネ材３の一端部を固定してある。なお、バネ材３の他端部は、支持ロープ２の端末に連結されている。また、第１例の起立部材１の支持ロープ受１３は、棒線材が屈曲加工され起立部材１であるアームの上端部に固定されている。また、スペースバー４については、上側に配設されるものを省略して下側に配設されるもののみとし、連結バー９の間に掛渡されている。
【００４１】
第３例によると、第１例，第２例に比して、構造が簡素化され安価に製造することができる。また、第１例，第２例に比して、風通しが良好になるため、植木鉢Ｐに植栽されている植物の生育環境を良好にすることができる。
【００４２】
なお、第３例に使用されるアタッチメント６は、上側に配設されるスペースバー４に係止されるフック部６２が省略された格好のものとなる。つまり第２のアタッチメント７が利用されることになる。
【００４３】
以上、図示した各例の外に、臨時的な使用を指向する場合には、起立部材１を地面や適当な板等に打込み立設して相対する間隔を維持するためのスペースバー４を省略する構成とすることも可能である。
【００４４】
さらに、１対の起立部材１について、２本２対以上の支持ロープ２を配設して植木鉢Ｐを２列以上並べる構成とすることも可能である。
【００４５】
さらに、アタッチメント６，第２のアタッチメント７を使用しない場合に、支持ロープ２を植木鉢Ｐの反対側に掛けるようにして交差させることで、支持ロープ２を植木鉢Ｐの胴部に強固に圧接させることも可能である。
【産業上の利用可能性】
【００４６】
本考案に係る植木鉢用支持具は、寸胴の植木鉢Ｐ、鍔の有る植木鉢Ｐ、更に植木鉢Ｐの横断面形状が非円形である場合など大小、長短様々な形状の植木鉢Ｐにも適用することが可能である。  
【符号の説明】
【００４７】
１            起立部材
２            支持ロープ
３            バネ材
４            スペースバー
６            アタッチメント
７           
アタッチメント（第２の）
Ｐ            植木鉢
【図１】
0003184095.tif 000003
【図２】
0003184095.tif 000004
【図３】
0003184095.tif 000005
【図４】
0003184095.tif 000006